(57)【特許請求の範囲】
【請求項１】
光源からの光が入射する導光板と、
前記導光板から入射した光を反射させるための反射面を有する反射型表示パネルと、
前記導光板と前記反射型表示パネルとを結合するための、前記導光板と前記反射型表示パネルとの間に設けられた結合層とを備える反射型表示装置であって、
前記反射型表示パネルが上側基板を有し、
前記結合層、前記上側基板及び前記反射面のそれぞれが互いに接触又は非接触で、この順番で積層されるように配置され、
前記結合層の屈折率は、前記上側基板の屈折率より低くなっており、
前記導光板の終端部は、前記結合層の屈折率ｎ１、前記結合層の前記上側基板側の下面から前記反射面までの距離ｚ、前記上側基板の屈折率ｎ２とした場合に、
α＝ｚｎ１／｛ｎ２２−ｎ１２｝１／２
で与えられる距離α以上、前記反射型表示パネルの端面よりも内側に位置することを特徴とする反射型表示装置。
【請求項２】
光源からの光が入射する導光板と、
前記導光板から入射した光を反射させるための反射面を有する反射型表示パネルと、
前記導光板と前記反射型表示パネルとを結合するための、前記導光板と前記反射型表示パネルとの間に設けられた結合層とを備える反射型表示装置であって、
前記結合層の屈折率をｎ１とし、
前記反射型表示パネルの前記結合層側から前記反射面に至るまでの間の層を、順次、第２の層、第３の層、・・、第ｘの層（ｘは２以上の整数）とし、前記結合層の屈折率は前記第２の層、第３の層、・・、第ｘの層の屈折率より低くなっており、それぞれの層の厚さを、順次、ｚ２、ｚ３、・・、ｚｘとし、それぞれの層の屈折率を、順次、ｎ２、ｎ３、・・、ｎｘとした場合、
前記導光板の終端部は、
【数１】
0003975697.tif 000006
で与えられる距離α以上、前記反射型表示パネルの端面よりも内側に位置することを特徴とする反射型表示装置。
【請求項３】
前記導光板が楔型であり、前記導光板の終端部が、前記導光板の楔型の形状の先端であることを特徴とする請求項１または２に記載の反射型表示装置。
【請求項４】
前記反射型表示パネルの前記導光板側の上面で、前記導光板で覆われていない部分も、前記結合層で覆われていることを特徴とする請求項１から３のいずれか１項に記載の反射型表示装置。
【請求項５】
光源からの光が入射する楔型の導光板と、
前記導光板から入射した光を反射させるための反射面を有する反射型表示パネルと、
前記導光板と前記反射型表示パネルとを結合するための、前記導光板と前記反射型表示パネルとの間に設けられた結合層とを備える反射型表示装置であって、
前記反射型表示パネルが上側基板を有し、
前記結合層、前記上側基板及び前記反射面のそれぞれが互いに接触又は非接触で、この順番で積層されるように配置され、
前記結合層の屈折率は、前記上側基板の屈折率より低くなっており、
前記導光板の楔型の形状の終端部は、前記結合層の屈折率ｎ１、前記結合層の前記上側基板側の下面から前記反射面までの距離ｚ、前記上側基板の屈折率ｎ２とした場合に、
α＝ｚｎ１／｛ｎ２２−ｎ１２｝１／２
で与えられる距離α以上、前記反射型表示パネルの端面よりも内側に位置し、
前記導光板が、前記楔型の形状の終端部より先に、該導光板の楔型の形状の部分の材質と同じ材質で、前記終端部の位置での前記導光板の厚さ以上の厚さのカバー部を備えることを特徴とする反射型表示装置。
【請求項６】
光源からの光が入射する楔型の導光板と、
前記導光板から入射した光を反射させるための反射面を有する反射型表示パネルと、
前記導光板と前記反射型表示パネルとを結合するための、前記導光板と前記反射型表示パネルとの間に設けられた結合層とを備える反射型表示装置であって、
前記結合層の屈折率をｎ１とし、
前記反射型表示パネルの前記結合層側から前記反射面に至るまでの間の層を、順次、第２の層、第３の層、・・、第ｘの層（ｘは２以上の整数）とし、前記結合層の屈折率は前記第２の層、第３の層、・・、第ｘの層の屈折率より低くなっており、それぞれの層の厚さを、順次、ｚ２、ｚ３、・・、ｚｘとし、それぞれの層の屈折率を、順次、ｎ２、ｎ３、・・、ｎｘとした場合、
前記導光板の楔型の形状の終端部は、
【数２】
0003975697.tif 000007
で与えられる距離α以上、前記反射型表示パネルの端面よりも内側に位置し、
前記導光板が、前記楔型の形状の終端部より先に、該導光板の楔型の形状の部分の材質と同じ材質で、前記終端部の位置での前記導光板の厚さ以上の厚さのカバー部を備えるこ
とを特徴とする反射型表示装置。
【請求項７】
前記導光板の表面における、前記楔型の形状の終端部から前記カバー部へと変化する変化部において曲率を有することを特徴とする請求項５または６に記載の反射型表示装置。
【請求項８】
前記楔型の形状の終端部から前記カバー部へといたる前記導光板の表面形状が滑らかに変化することを特徴とする請求項５または６に記載の反射型表示装置。
【請求項９】
上記請求項１から８のいずれか１項に記載の反射型表示装置を用いたことを特徴とする携帯情報機器。
【発明の詳細な説明】
【０００１】
【発明の属する技術分野】
本発明は、反射型表示パネルと導光板とを用いた反射型表示装置、及びこのような反射型表示装置を用いた携帯情報機器に関するものである。
【０００２】
【従来の技術】
従来の反射型表示装置では、周りが暗いときに表示画面を視認出来るようにするため、前方照明装置が必要とされている。
【０００３】
ここで、従来の反射型表示装置の構造について図１２を参照して説明する。図１２は、従来の反射型表示装置の構造図である。
【０００４】
図１２に示されるように、従来の反射型表示装置は、導光板１２０１、光源１２０２及び結合材１２０３からなる前方照明装置１２０４と、上側基板１２０５、液晶層１２０６、反射面１２０７及び下側基板１２０８からなる反射型表示パネル１２０９とから構成される。
【０００５】
また、図１２に示されるように、上側基板１２０５、液晶層１２０６、反射面１２０７及び下側基板１２０８の端面を上側基板端面１２１０とする。
【０００６】
従来の前方照明装置には、図１２に示すように、凹凸が形成されていない楔型の導光板１２０１を持った前方照明装置１２０４が提案されている。
【０００７】
前方照明装置１２０４は結合材１２０３で反射型表示パネル１２０９の上側基板１２０５と結合されており、導光板１２０１の屈折率を結合材の屈折率より高く設定することにより、ほぼすべての光を反射型表示パネル１２０９に出射することができる。
【０００８】
また、反射型表示パネル１２０９に入射した光は、反射面１２０７に形成されたパターンにより反射され、観察者側に出射される。
【０００９】
このように、従来の反射型表示装置では、導光板１２０１から出射された光は反射型表示パネル１２０９に入射し、反射型表示パネル１２０９にある反射面１２０７によって反射されて観察者側に反射される必要がある。
【００１０】
【発明が解決しようとする課題】
しかしながら、上記のような従来技術の場合には、下記のような問題が生じていた。この従来技術の問題点について、図１３を参照して説明する。図１３は、従来の反射型表示装置の問題点を説明するための構造図である。ただし、図１３において、図１２に示される部材と同様な部材には、同じ番号を付し、その詳細な説明を省略する。
【００１１】
従来の構造では、図１３に示すように、前方照明装置１２０４から出射される光は、反射型表示パネル１２０９の画面の法線方向に対して傾きを持つため、反射型表示パネル１２０９ヘの入射光はその一部が、上側基板端面１２１０から出射され、観察者に到達しない光である、上側基板端面から出射する光１３０１となる。
【００１２】
その結果、反射型表示装置の光の出射効率が低減することとなる。
【００１３】
本発明は上記の従来技術の課題を解決するためになされたもので、その目的とするところは、出射効率の低減を防止することが可能な反射型表示装置及び携帯情報機器を提供することにある。
【００１４】
【課題を解決するための手段】
上記目的を達成するために、本発明に係る反射型表示装置は、光源からの光が入射する導光板と、前記導光板から入射した光を反射させるための反射面を有する反射型表示パネルと、前記導光板と前記反射型表示パネルとを結合するための、前記導光板と前記反射型表示パネルとの間に設けられた結合層とを備える反射型表示装置であって、前記反射型表示パネルが上側基板を有し、前記結合層、前記上側基板及び前記反射面のそれぞれが互いに接触又は非接触で、この順番で積層されるように配置され、前記結合層の屈折率は、前記上側基板の屈折率より低くなっており、前記導光板の終端部は、前記結合層の屈折率ｎ１、前記結合層の前記上側基板側の下面から前記反射面までの距離ｚ、前記上側基板の屈折率ｎ２とした場合に、α＝ｚｎ１／｛ｎ２２−ｎ１２｝１／２で与えられる距離α以上、前記反射型表示パネルの端面よりも内側に位置することを特徴とする。
【００１５】
また、光源からの光が入射する導光板と、前記導光板から入射した光を反射させるための反射面を有する反射型表示パネルと、前記導光板と前記反射型表示パネルとを結合するための、前記導光板と前記反射型表示パネルとの間に設けられた結合層とを備える反射型表示装置であって、前記結合層の屈折率をｎ１とし、前記反射型表示パネルの前記結合層側から前記反射面に至るまでの間の層を、順次、第２の層、第３の層、・・、第ｘの層（ｘは２以上の整数）とし、前記結合層の屈折率は前記第２の層、第３の層、・・、第ｘの層の屈折率より低くなっており、それぞれの層の厚さを、順次、ｚ２、ｚ３、・・、ｚｘとし、それぞれの層の屈折率を、順次、ｎ２、ｎ３、・・、ｎｘとした場合、前記導光板の終端部は、
【数３】
0003975697.tif 000002
で与えられる距離α以上、前記反射型表示パネルの端面よりも内側に位置することを特徴とする。
【００１６】
また、前記導光板が楔型であり、前記導光板の終端部が、前記導光板の楔型の形状の先端であることを特徴とする。
【００１７】
また、前記反射型表示パネルの前記導光板側の上面で、前記導光板で覆われていない部分も、前記結合層で覆われていることを特徴とする。
【００１８】
また、光源からの光が入射する楔型の導光板と、前記導光板から入射した光を反射させるための反射面を有する反射型表示パネルと、前記導光板と前記反射型表示パネルとを結合するための、前記導光板と前記反射型表示パネルとの間に設けられた結合層とを備える反射型表示装置であって、前記反射型表示パネルが上側基板を有し、前記結合層、前記上側基板及び前記反射面のそれぞれが互いに接触又は非接触で、この順番で積層されるように配置され、前記結合層の屈折率は、前記上側基板の屈折率より低くなっており、前記導光板の楔型の形状の終端部は、前記結合層の屈折率ｎ１、前記結合層の前記上側基板側の下面から前記反射面までの距離ｚ、前記上側基板の屈折率ｎ２とした場合に、α＝ｚｎ１／｛ｎ２２−ｎ１２｝１／２で与えられる距離α以上、前記反射型表示パネルの端面よりも内側に位置し、前記導光板が、前記楔型の形状の終端部より先に、該導光板の楔型の形状の部分の材質と同じ材質で、前記終端部の位置での前記導光板の厚さ以上の厚さのカバー部を備えることを特徴とする反射型表示装置。
【００１９】
また、光源からの光が入射する楔型の導光板と、前記導光板から入射した光を反射させるための反射面を有する反射型表示パネルと、前記導光板と前記反射型表示パネルとを結合するための、前記導光板と前記反射型表示パネルとの間に設けられた結合層とを備える反射型表示装置であって、前記結合層の屈折率をｎ１とし、前記反射型表示パネルの前記結合層側から前記反射面に至るまでの間の層を、順次、第２の層、第３の層、・・、第ｘの層（ｘは２以上の整数）とし、前記結合層の屈折率は前記第２の層、第３の層、・・、第ｘの層の屈折率より低くなっており、それぞれの層の厚さを、順次、ｚ２、ｚ３、・・、ｚｘとし、それぞれの層の屈折率を、順次、ｎ２、ｎ３、・・、ｎｘとした場合、前記導光板の楔型の形状の終端部は、
【数４】
0003975697.tif 000003
で与えられる距離α以上、前記反射型表示パネルの端面よりも内側に位置し、前記導光板が、前記楔型の形状の終端部より先に、該導光板の楔型の形状の部分の材質と同じ材質で、前記終端部の位置での前記導光板の厚さ以上の厚さのカバー部を備えることを特徴とする。
【００２０】
また、前記導光板の表面における、前記楔型の形状の終端部から前記カバー部へと変化する変化部において曲率を有することを特徴とする。
【００２１】
また、前記楔型の形状の終端部から前記カバー部へといたる前記導光板の表面形状が滑らかに変化することを特徴とする。
【００２２】
さらに、本発明に係る携帯情報機器は上記反射型表示装置を用いたことを特徴とする。
【００２５】
このように本発明では、前方照明装置から出射された光が、反射型表示パネルの画面の法線方向に対して傾きを持って入射しても、上側基板の側面から出射せず、反射型表示パネルに入射した光は、反射面に形成されたパターンにより、観察者側に出射されることを可能とするように導光板形状を最適化し、出射効率を向上した、より明るい反射型表示装置を得ることができる。
【００２６】
なお、本発明の結合層は、導光板の屈折率より低い屈折率を有する材料であれば空気層でも良いし、公知の材料による層でも良い。
【００２７】
ここで、本発明にいう、反射型表示パネルの端面とは、反射型表示パネルを構成する各層の側面のことをいう。
【００２８】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２９】
また、以下の図面において、既述の図面に記載された部材と同様の部材には同じ番号を付す。
【００３０】
（第１の実施形態）
まず、本発明に係る反射型表示装置の第１の実施形態について図１を参照して説明する。図１は、本発明に係る反射型表示装置の第１の実施形態の構造図である。
【００３１】
図１に示されるように、本発明に係る反射型表示装置は、結合材１０４（本出願の特許請求の範囲に記載の結合層に対応する。以下の実施形態で同じ。）により互いに結合された前方照明装置１０６と反射型表示パネル１１１とからなる。
【００３２】
前方照明装置１０６は、導光板１０１と光源１０５とからなる。
【００３３】
光源１０５は、リフレクタ１０２及びＬＥＤ１０３からなる。このように、前方照明装置１０６は導光板１０１と光源１０５とで構成され、光源１０５は蛍光管、ＬＥＤ１０３などの発光源の他、リフレクタ１０２、レンズなどの光学素子を含んでよい。
【００３４】
反射型表示パネル１１１は、上側基板１０７、液晶層１０８、反射面１０９及び下側基板１１０からなる。
【００３５】
また、図１に示される例では、反射型表示パネル１１１の上側基板１０７、液晶層１０８、反射面１０９及び下側基板１１０の端面を、本出願の特許請求の範囲に記載の反射型表示パネルの端面としての上側基板端面１１３とする。
【００３６】
また、上側基板端面１１３と平行な平面であり、導光板１０１の先端を通る平面を導光板先端面１１２とする。
【００３７】
導光板１０１は光源１０５に近いほど厚く、光源１０５から遠くなるほど薄くなるような楔型にする。
【００３８】
結合材１０４は透明で、導光板１０１の屈折率より低い屈折率を有する材料であれば空気でも良いし、公知の材料でも良い。
【００３９】
反射面１０９は上側基板１０７と下側基板１１０の間にあっても良いし、下側基板１１０の下側にあっても良い。
【００４０】
上側基板１０７に入射した光は、反射面１０９に形成されたパターンにより、観察者側に出射される。
【００４１】
本実施形態の反射型表示装置では、本出願の特許請求の範囲に記載の導光板の終端部としての導光板１０１の先端１１５及び結合材１０４の端面１１６は、上側基板端面１１３より内側に設定されているので、上側基板１０７より入射した光の一部は、上側基板側面１１４から出射することなく、反射面１０９に形成されたパターンにより、観察者側に出射され、出射効率を向上した、より明るい反射型表示装置とすることができる。
【００４２】
（第２の実施形態）
次に、本発明に係る反射型表示装置の第２の実施形態について図２を参照して説明する。図２は、本発明に係る反射型表示装置の第２の実施形態の構造図である。
【００４３】
ただし、図２に示される部材のうち、前述の図１に示される部材と同様な部材には同じ番号を付し、その詳細な説明を省略する。
【００４４】
本第２の実施形態が、前述の本発明に係る反射型表示装置の第１の実施形態と異なる点は、導光板先端面１１２と上側基板端面１１３との間の距離αを所定の条件で与えられる値以上としている点である。
【００４５】
すなわち、本実施形態では、本出願の特許請求の範囲に記載の導光板の端面としての、導光板１０１の先端２０１及び結合材１０４の端面２０２が、結合材１０４の屈折率ｎ１、上側基板１０７の上面から反射面１０９までの距離ｚ、上側基板１０７の屈折率ｎ２から、
【数５】
0003975697.tif 000004
で与えられる距離α以上、反射型表示パネル１１１の上側基板端面１１３から内側に設定されている。
【００４６】
ここで、このαの導出について図３を参照して以下に説明する。図３は、図２に示されるαを導出するための概略図である。ただし、図３において、前述の図２に示される部材と同様な部材には同じ番号を付し、その詳細な説明を省略する。
【００４７】
αは、光が結合材１０４から上側基板１０７へ入射したときの入射角ｉ１と、結合材１０４の下面から反射面１０９までの距離できまる。
【００４８】
ただし、位置αを通る光の入射角ｉ１は０°から９０°であり、全ての光が上側基板端面１１３より出射しないようにするためには入射角ｉ１が９０°でのαを求める必要がある。
【００４９】
スネルの法則より、結合材１０４の屈折率をｎ１、上側基板１０７の屈折率をｎ２、結合材１０４の下面から反射面１０９までの距離をｚ、上側基板端面１１３から導光板１０１の先端２０１及び結合材１０４の端面２０２までの距離をα、光の結合材１０４から上側基板１０７への入射角をｉ１、屈折角をｉ２とすると、
ｎ１ｓｉｎ（ｉ１）＝ｎ２ｓｉｎ（ｉ２）
ｉ１＝９０°とすると、
ｎ１ｓｉｎ（９０°）＝ｎ２ｓｉｎ（ｉ２）
ｎ１＝ｎ２ｓｉｎ（ｉ２）
ｓｉｎ（ｉ２）＝ｎ１／ｎ２・・・（ａ）
また、三平方の定理より、
ｓｉｎ（ｉ２）＝α／（α2＋ｚ2）1/2・・・（ｂ）
（ａ）、（ｂ）より、
ｓｉｎ（ｉ２）＝ｎ１／ｎ２＝α／（α2＋ｚ2）1/2
（ｎ１／ｎ２）2＝α2／（α2＋ｚ2）
α2（ｎ１／ｎ２）2＋（ｚｎ１／ｎ２）2＝α2
α2｛（ｎ１／ｎ２）2−１｝＝−（ｚｎ１／ｎ２）2
α2＝（ｚｎ１／ｎ２）2／｛１−（ｎ１／ｎ２）2｝
α＝（ｚｎ１／ｎ２）／｛１−（ｎ１／ｎ２）2｝1/2
α＝ｚｎ１／｛ｎ２2−ｎ１2｝1/2
となる。ただし、上記導出においては液晶層１０８の厚さは無視した。
【００５０】
ここで、本実施形態では導光板１０１は屈折率１．５０の透明な樹脂からなるが、透明な材料であればその他の屈折率でも良い。
【００５１】
また、本実施形態では結合材１０４の屈折率ｎ１は１．４０であるが、透明で導光板１０１を構成する材料より低屈折率であれば空気でも良いし、他の公知材料でも良い。
【００５２】
また、本実施形態では上側基板１０７の屈折率ｎ２は１．５２であるが、透明であればその他の屈折率でも良い。
【００５３】
また、本実施形態では上側基板１０７の上面から反射面１０９までの距離ｚは０．７ｍｍであるがこれに限らない。
【００５４】
本実施形態では、上記式（１）から、導光板１０１の先端２０１及び結合材１０４の端面２０２は、上側基板端面１１３より１．６６ｍｍ以上内側に設定されている。画素配置、液晶駆動用電極設置などを考慮し、さらに内側に設定しても良い。
【００５５】
このように、本実施形態では、導光板１０１の先端２０１及び結合材１０４の端面２０２は、上側基板端面１１３より１．６６ｍｍ以上内側に設定されているので、上側基板１０７より入射した光は、上側基板側面１１４から出射されることなく、反射面１０９に形成されたパターンにより、観察者側に出射され、出射効率を向上した、より明るい反射型表示装置を得ることができる。
【００５６】
（第３の実施形態）
次に、本発明に係る反射型表示装置の第３の実施形態について図４を参照して説明する。図４は、本発明に係る反射型表示装置の第３の実施形態の構造図である。
【００５７】
ただし、図４に示される部材のうち、前述の図１に示される部材と同様な部材には同じ番号を付し、その詳細な説明を省略する。
【００５８】
本実施形態が、前述の第１の実施形態及び第２の実施形態と異なる点は、図４に示されるように、上側基板１０７の上面で、導光板１０１で覆われていない部分４０２も結合材４０１で覆われている点である。
【００５９】
これは、前述の第１の実施形態や第２の実施形態において発生する視覚的違和感を解決するものである。
【００６０】
この視覚的違和感は、例えば図１に示されるように前述の第１の実施形態においては、反射型表示パネル１１１から観察者側に出射される光が、一部は結合材１０４及び導光板１０１を通るが、別の一部は直接観察者に到達することにより発生する。
【００６１】
すなわち、上側基板１０７から出射した一部の光が結合材１０４と導光板１０１を透過し、観察者側に出射され、また別の一部の光は直接観察者側に出射されることで、出射光間に明るさ、色などの違いが発生し、反射型表示装置に視覚的違和感が発生する。
【００６２】
本実施形態は、上側基板１０７から出射した光はすべて結合材４０１を透過するので、第１の実施形態や第２の実施形態で発生する視覚的違和感は緩和される。
【００６３】
また、本実施形態では導光板１０１は屈折率１．５０の透明な樹脂からなるが、透明な材料であればその他の屈折率でも良い。
【００６４】
また、本実施形態では結合材４０１の屈折率ｎ１は１．４０であるが、透明で導光板１０１を構成する材料より低屈折率であれば空気でも良いし、他の公知材料でも良い。
【００６５】
また、本実施形態では上側基板１０７の屈折率ｎ２は１．５２であるが、透明であればその他の屈折率でも良い。
【００６６】
また、本実施形態では上側基板１０７の上面から反射面１０９までの距離ｚは０．７ｍｍであるがこれに限らない。
【００６７】
また、本実施形態では導光板１０１の先端２０１は、上側基板端面１１３より内側で、望ましくは、式（１）によって求められる距離α以上内側に設定されている。
【００６８】
また、本実施形態では画素配置、液晶駆動用電極設置などを考慮し、さらに内側に導光板１０１の先端２０１を設置しても良い。
【００６９】
したがって、本実施形態では、前述の第１の実施形態又は第２の実施形態と同様の効果を得ることができると共に、反射面１０９のパターンで反射し、上側基板１０７から出射した光は、結合材４０１又は結合材４０１と導光板１０１を透過し、観察者側に出射されるため、観察者に対する視覚的違和感をより解消することができる。
【００７０】
（第４の実施形態）
次に、本発明に係る反射型表示装置の第４の実施形態について図５を参照して説明する。図５は、本発明に係る反射型表示装置の第４の実施形態の構造図である。
【００７１】
ただし、図５に示される部材のうち、前述の図１に示される部材と同様な部材には同じ番号を付し、その詳細な説明を省略する。
【００７２】
本実施形態が、前述の第１の実施形態から第３の実施形態と異なる点は、本出願の特許請求の範囲に記載の楔型の形状の終端部としての導光板５０１の楔型の部分の先端５０４より先に、導光板４０１と同じ材質で、楔型の先端の位置での導光板５０１の厚さ以上（図５では、楔型の先端の位置での導光板５０１の厚さと同じ）のカバー部５０３を設けた点である。
【００７３】
ただし、図５に示される反射型表示装置では、導光板５０１の楔型の部分とカバー部５０３は一体的に構成されている。
【００７４】
本実施形態では導光板５０１は屈折率１．５０の透明な樹脂からなるが、透明な材料であればその他の屈折率でも良い。
【００７５】
また、本実施形態では結合材５０２の屈折率ｎ１は１．４０であるが、透明で導光板４０１を構成する材料より低屈折率であれば空気でも良いし、他の公知材料でも良い。
【００７６】
また、本実施形態の結合材５０２は、カバー部５０３の下側にも形成されている。
【００７７】
また、本実施形態では上側基板１０７の屈折率ｎ２は１．５２であるが、透明であればその他の屈折率でも良い。
【００７８】
また、本実施形態では上側基板上面から反射面１０９までの距離ｚは０．７ｍｍであるがこれに限らない。
【００７９】
また、本実施形態では導光板４０１の楔型の部分の先端５０４は、上側基板端面１１３より内側で、望ましくは、式（１）によって求められる距離α以上内側に設定されている。
【００８０】
また、導光板５０１の楔型の部分の先端５０４は、画素配置、液晶駆動用電極設置などを考慮し、さらに内側に設定しても良い。
【００８１】
また、本実施形態では反射面１０９のパターンで反射し、前記上側基板から出射した光は、結合材５０２と導光板５０１を透過し、観察者側に出射される。
【００８２】
このように、本実施形態では、図５に示されようにカバー部５０３を設けることにより、前述の第１の実施形態から第３の実施形態において発生する、視覚的違和感を解決するものである。
【００８３】
すなわち、例えば第１の実施形態においては、図１に示されるように、上側基板１０７から出射した光の一部が結合材１０４と導光板を透過し、観察者側に出射されまた別の一部は直接観察者側に出射されることで、出射光間に明るさ、色などの違いが発生し、反射型表示装置に視覚的違和感が発生する。
【００８４】
しかし、本実施形態は、上側基板１０７から出射した光はすべて結合材５０２と、導光板５０１（すなわち、導光板５０１の楔型の部分若しくはカバー部５０３の部分）を透過するので、前述の第１の実施形態又は第２の実施形態と同様の効果を得ることができると共に、例えば第１の実施形態で発生する視覚的違和感は緩和される。
【００８５】
（第５の実施形態）
次に、本発明に係る反射型表示装置の第５の実施形態について図６を参照して説明する。図６は、本発明に係る反射型表示装置の第５の実施形態の構造図である。
【００８６】
ただし、図６に示される部材のうち、前述の図１に示される部材と同様な部材には同じ番号を付し、その詳細な説明を省略する。
【００８７】
本実施形態は、前述の本発明に係る反射型表示装置の第４の実施形態を変形した実施形態である。
【００８８】
すなわち、本実施形態は、前述の第４の実施形態と同様に、導光板６０１の楔型の部分の先端６０２より先に、導光板６０１と同じ材質で、楔型の先端の位置での導光板６０１の厚さ以上（図６では、楔型の先端の位置での導光板４０１の厚さと同じ）のカバー部５０３を設け、さらに、導光板６０１の楔型の部分とカバー部５０３が一体的に構成されている点は、前述の第４の実施形態と同様である。
【００８９】
また、本実施形態では導光板６０１は屈折率１．５０の透明な樹脂からなるが、透明な材料であればその他の屈折率でも良い。
【００９０】
また、本実施形態では結合材５０２の屈折率ｎ１は１．４０であるが、透明で導光板５０１を構成する材料より低屈折率であれば空気でも良いし、他の公知材料でも良い。
【００９１】
また、本実施形態では上側基板１０７の屈折率ｎ２は１．５２であるが、透明であればその他の屈折率でも良い。
【００９２】
また、本実施形態では上側基板上面から反射面１０９までの距離ｚは０．７ｍｍであるがこれに限らない。
【００９３】
また、本実施形態では導光板６０１の楔型の部分の先端６０２は、上側基板１０７の端面より内側で、望ましくは、式（１）によって求められる距離α以上内側に設定されている。
【００９４】
また、本実施形態では、画素配置、液晶駆動用電極設置などを考慮し、導光板６０１の楔型の部分の先端６０２をαにより設定される距離よりもさらに内側に設定しても良い。
【００９５】
そして、本実施形態では反射面１０９のパターンで反射し、上側基板１０７から出射した光は、結合材５０２と導光板６０１を透過し、観察者側に出射される。
【００９６】
このように、本実施形態においては、前述の第４の実施形態と同様に、導光板６０１にカバー部５０３が設けられているため、前述の第１の実施形態において発生する、視覚的違和感を解決する。
【００９７】
すなわち、前述の第１の実施形態では、図１に示されるように、上側基板１０７から出射した光の一部が結合材１０４と導光板１０１を透過し、観察者側に出射され、また上側基板１０７から出射した光の別の一部は直接観察者側に出射されることで、出射光間に明るさ、色などの違いが発生し、反射型表示装置に視覚的違和感が発生する。
【００９８】
本実施形態は、前述の第４の実施形態と同様に、上側基板１０７から出射した光はすべて結合材５０２と、導光板６０１（すなわち、導光板６０１の楔型の部分若しくはカバー部５０３の部分）を透過するので、上述のような、第１の実施形態で発生していた視覚的違和感は緩和される。
【００９９】
一方、本実施形態では、前述の第４の実施形態と異なり、導光板４０１の観察者側の面において、楔型の先端とカバー部４０３の境界部分となる導光板６０１の楔型の部分の先端６０２で曲率を有する。
【０１００】
この曲率は、上側基板１０７から出射した光のうち、導光板６０１の楔型の部分を透過した光と、カバー部５０３を透過した光とに基づく視覚的違和感を解消するためのものである。
【０１０１】
すなわち、前述の第４の実施形態のように、導光板６０１の楔型の部分の先端とカバー部５０３とのつなぎ目の部分が曲率を有さず、滑らかにではなく接続されているとすると、上側基板１０７から出射した光のうち、導光板６０１の楔型の部分を透過した光と、カバー部５０３を透過した光とによる視覚的効果の差が不連続となり、視覚的違和感を観察者に発生させてしまう。
【０１０２】
そこで、本実施形態では、導光板６０１の楔型の先端の部分とカバー部５０３とのつなぎ目の部分、すなわち、導光板６０１の楔型の部分の先端６０２とカバー部５０３の境界部分で曲率を有するようにし、導光板６０１の楔型の先端６０２とカバー部５０３の境界部分とのつなぎ目を滑らかにした。
【０１０３】
よって本実施形態では、前述の本発明に係る反射型表示装置の第４の実施形態と同様の効果を得ることができると共に、上側基板１０７から出射した光のうち、導光板６０１の楔型の部分を透過した光と、カバー部５０３を透過した光とに基づく視覚的違和感を解消することができる。
【０１０４】
（第６の実施形態）
ここで、本発明に係る反射型表示装置の構造は、上述の実施形態に示される構造の反射型表示装置の構造に限定されるものではない。
【０１０５】
上述の第１から第５の実施形態に示される反射型表示装置は、例えば図１に示されるように、結合材１０４の下層に、上側基板１０７、液晶層１０８、反射面１０９という層が形成されている場合であった。
【０１０６】
しかしながら、本発明に係る反射型表示装置はこのような構造の反射型表示装置に限定されるものではなく、例えば、結合材の下層であって、反射面に到るまでの層としては、上側基板や液晶層以外の層を、少なくとも１以上任意に含んでいても良い。
【０１０７】
本発明に係る反射型表示装置の第６の実施形態は、このように、結合材の下層であって、反射面に到るまでの層として、上側基板や液晶層以外の層を、少なくとも１以上任意に含んだ反射型表示装置である。
【０１０８】
この本発明に係る反射型表示装置の第６の実施形態について、図７を参照して説明する。図７は、本発明に係る反射型表示装置の第６の実施形態の構造図である。図７に示される反射型表示装置は、前述の第１の実施形態の反射型表示装置を変形したものである。
【０１０９】
図７に示されるように、本実施形態では、結合材１０４（これを第１の層とする）の下層に、順次、第２の層７０１、・・第ｘの層７０２（ｘは２以上の整数）が順次積層され、これらの層のうちのいずれか１層が、液晶層１０８となる。
【０１１０】
また、例えば、これら液晶層１０８以外の層のいずれかが、前述の第１の実施形態などで用いられた上側基板となる場合がある。
【０１１１】
このように、本発明に係る反射型表示装置の第６の実施形態では、結合材１０４の下から、液晶層１０８を介して反射面１０９に到るまでに、少なくとも１以上の層が存在する場合がある。
【０１１２】
そして、本実施形態においても、導光板１０１及び結合材１０４の端面が、第１の層７０１などの端面よりも内側に設定されているため、前述の第１の実施形態と同様に、端面から出射する光を低減することができ、光の出射効率を向上させることができる。
【０１１３】
また、本実施形態においても、導光板１０１及び結合材１０４の端面が、所定の距離αよりも内側に設定されていることが好ましい。
【０１１４】
そして、本実施形態においては、前述の第２の実施形態で導出されたαは、前述のαの導出を応用し、結合材１０４から反射面１０９に到るまでの間の層を、順次、第２の層、第３の層、・・、第ｘの層（ｘは２以上の整数）とし（これらの層として、厚さが他の層に比べて薄い層は除外しても良い）、それぞれの層の厚さを、順次、ｚ２、ｚ３、・・、ｚｘとし、それぞれの層の屈折率を、順次、ｎ２、ｎ３、・・ｎｘとすると、
【数６】
0003975697.tif 000005
として与えられる。
【０１１５】
また、図７に示されるような本実施形態の構造が、図４に示される前述の第３の実施形態のような、結合材が第１の層７０１の導光板１０１に覆われていない部分を覆う実施形態や、図５に示される前述の第４の実施形態のような、カバー部を有する実施形態や、図６に示される前述の第５の実施形態のような、導光板の観察者側の面において、楔型の部分の先端とカバー部の境界部分で曲率を有する実施形態にも適用でき、それぞれ各実施形態で得られた効果を奏することは明白である。
【０１１６】
このように、本実施形態では、前述の第１の実施形態乃至第５の実施形態の効果を得ることができると共に、反射型表示装置の構造として、前述の第１の実施形態から第５の実施形態において説明したような、結合材の下層に、上側基板、液晶層、反射面という層が形成されている場合のみに限定されず、より柔軟に反射型表示装置の構造を実現することができる。
【０１１７】
なお、上記第１の実施形態から第６の実施形態ではいずれも導光板として、楔型の導光板を用いた例を挙げたが、本発明はこのような場合に限定されるものではなく、反射型表示装置の実施形態として、導光板の形状として例えば直方体の導光板を用いた実施形態であっても良い。
【０１１８】
さらに、上記第１から第６の実施形態の反射型表示装置では、いずれも液晶層を用いて光の透過を制御し、観察者への画像表示を制御していたが、本発明の反射型表示装置はこのような場合に限定されるものではない。
【０１１９】
例えば、本発明の反射型表示装置の実施形態として、液晶層に代えて、又は、液晶層と共に、反射面を駆動して光の反射を表示画像に応じて変更することにより、観察者に対する画像表示を制御するとしても良い。
【０１２０】
（反射型表装置を用いた機器）
次に、上記本発明に係る反射型表示装置の各実施形態を用いた機器について図面を参照して説明する。
【０１２１】
まず、上記本発明に係る反射型表示装置の第１から第６の実施形態のいずれか１つを用いた携帯電話について図８を参照して説明する。図８は、本発明に係る反射型表示装置の第１から第６の実施形態のいずれか１つを用いた携帯電話の概略図である。
【０１２２】
図８に示されるように、本出願の特許請求の範囲に記載の携帯情報機器としての携帯電話８００は、表示部８０１、ダイヤル８０２、アンテナ８０３を備えている。
【０１２３】
そして、図８に示され表示部８０１として、上述の本発明に係る反射型表示装置の実施形態のうちのいずれか１つが用いられており、それによって、上述の反射型表示装置の第１乃至第６の実施形態の効果を享受した携帯電話となり、明るい表示部を得ることができる。
【０１２４】
次に、上述の本発明に係る反射型表示装置の第１から第６の実施形態のいずれか１つを用いた携帯情報端末について図９を参照して説明する。図９は、本発明に係る反射型表示装置の第１から第６の実施形態のいずれか１つを用いた携帯情報端末の概略図である。
【０１２５】
図９に示されるように、本出願の特許請求の範囲に記載の携帯情報機器としての携帯情報端末９００は、表示部９０１、カバー９０２及び入力部９０３を備えている。
【０１２６】
そして、図９に示され表示部９０１として、上述の本発明に係る反射型表示装置の第１から第６の実施形態のうちのいずれか１つが用いられており、それによって、上述の反射型表示装置の第１から第６の実施形態のいずれかの効果を享受した携帯情報端末となり、明るい表示部を得ることができる。
【０１２７】
次に、上記本発明に係る反射型表示装置の第１から第６の実施形態のうちのいずれか１つを用いた携帯用コンピュータについて図１０を参照して説明する。図１０は、本発明に係る反射型表示装置の第１から第６の実施形態のうちのいずれか１つを用いた携帯用コンピュータの概略図である。
【０１２８】
図１０に示されるように、本出願の特許請求の範囲に記載の携帯情報機器としてのノートパソコン等の携帯用コンピュータ１０００は、表示部１００１、キーボード１００２を備えている。
【０１２９】
そして、図１０に示され表示部１００１として、上述の本発明に係る反射型表示装置の第１から第６の実施形態のうちのいずれか１つが用いられており、それによって、上述の反射型表示装置の第１から第６の実施形態のいずれかの効果を享受した携帯用コンピュータとなり、明るい表示部を得ることができる。
【０１３０】
次に、上記本発明に係る反射型表示装置の第１から第６の実施形態のうちのいずれか１つを用いたテレビ（受像機）について図１１を参照して説明する。図１１は、本発明に係る反射型表示装置の第１から第６の実施形態のうちのいずれか１つを用いたテレビ（受像機）の概略図である。
【０１３１】
図１１に示されるように、本出願の特許請求の範囲に記載の携帯情報機器としてのテレビ１１００は、表示部１１０１、選局部１１０２及びアンテナ１１０３を備えている。
【０１３２】
そして、図１１に示され表示部１１０１として、上述の本発明に係る反射型表示装置の第１から第６の実施形態のうちのいずれか１つが用いられており、それによって、上述の反射型表示装置の第１から第６の実施形態のいずれかの効果を享受したテレビとなり、明るい表示部を得ることができる。
【０１３３】
【発明の効果】
以上説明したように、本発明によれば、光源から導光板に入射した光が観察者に達する前に出射してしまうことを低減することができ、その結果、観察者への光の出射効率を向上させることができ、明るい反射型表示装置及びこのような反射型表示装置を具備した携帯情報機器とすることができる。
【図面の簡単な説明】
【図１】本発明に係る反射型表示装置の第１の実施形態の構造図である。
【図２】本発明に係る反射型表示装置の第２の実施形態の構造図である。
【図３】図２に示されるαを導出するための概略図である。
【図４】本発明に係る反射型表示装置の第３の実施形態の構造図である。
【図５】本発明に係る反射型表示装置の第４の実施形態の構造図である。
【図６】本発明に係る反射型表示装置の第５の実施形態の構造図である。
【図７】本発明に係る反射型表示装置の第６の実施形態の構造図である。
【図８】本発明に係る反射型表示装置の第１から第６の実施形態のいずれか１つを用いた携帯電話の概略図である。
【図９】本発明に係る反射型表示装置の第１から第６の実施形態のいずれか１つを用いた携帯情報端末の概略図である。
【図１０】本発明に係る反射型表示装置の第１から第６の実施形態のうちのいずれか１つを用いた携帯用コンピュータの概略図である。
【図１１】本発明に係る反射型表示装置の第１から第６の実施形態のうちのいずれか１つを用いたテレビ（受像機）の概略図である。
【図１２】従来の反射型表示装置の構造図である。
【図１３】従来の反射型表示装置の問題点を説明するための構造図である。
【符号の説明】
１０１  導光板
１０２  リフレクタ
１０３  ＬＥＤ
１０４  結合材
１０５  光源
１０６  前方照明装置
１０７  上側基板
１０８  液晶層
１０９  反射面
１１０  下側基板
１１１  反射型表示パネル
１１２  導光板先端面
１１３  上側基板端面
１１４  上側基板側面
１１５  導光板１０１の先端
１１６  結合材１０４の端面
２０１  導光板１０１の先端
２０２  結合材１０４の端面
３０１  結合材
４０１  結合材
４０２  導光板１０１で覆われていない部分
４０３  カバー部
５０１  導光板
５０２  結合材
５０３  カバー部
５０４  導光板５０１の楔型の部分の先端
６０１  導光板
６０２  導光板６０１の楔型の部分の先端
７０１  第１の層
７０２  第ｍの層
７０３  第ｍ＋１の層
７０４  第ｎの層
８００  携帯電話
８０１  表示部
８０２  ダイヤル
８０３  アンテナ
９００  携帯情報端末
９０１  表示部
９０２  カバー
９０３  入力部
１０００  携帯用コンピュータ
１００１  表示部
１００２  キーボード
１１００  テレビ
１１０１  表示部
１１０２  選局部
１１０３  アンテナ
１２０１  導光板
１２０２  光源
１２０３  結合材
１２０４  前方照明装置
１２０５  上側基板
１２０６  液晶層
１２０７  反射面
１２０８  下側基板
１２０９  反射型表示パネル
１２１０  上側基板端面
１３０１  上側基板端面から出射する光
【図１】
0003975697.tif 000008
【図２】
0003975697.tif 000009
【図３】
0003975697.tif 000010
【図４】
0003975697.tif 000011
【図５】
0003975697.tif 000012
【図６】
0003975697.tif 000013
【図７】
0003975697.tif 000014
【図８】
0003975697.tif 000015
【図９】
0003975697.tif 000016
【図１０】
0003975697.tif 000017
【図１１】
0003975697.tif 000018
【図１２】
0003975697.tif 000019
【図１３】
0003975697.tif 000020